(57)【要約】      （修正有）【課題】平面体と立体物とを同時に展示して同時に目視することができるようにしたカプセルスタンドを提供する。【解決手段】下側蓋部材３１の両端部に設けられた蓋部３１ｂ，３１ｃに左側透明筒体２１および右側透明筒体２２の下端開口をそれぞれ嵌合し、前面側透明フレーム板１１および後面側透明フレーム板の間に平面体Ｐを挟んでなる重合体の下端縁部を蓋部材３１の連結部３１ａに穿設された配置溝に遊嵌し、上側蓋部材３２の両端部に設けられた蓋部３２ｂ，３２ｃを左側透明筒体２１および右側透明筒体２２の上端開口にそれぞれ嵌合すると同時に、重合体の上端縁部を上側蓋部材３２の連結部３２ａに穿設された配置溝に遊嵌することにより、平面体Ｐと立体物Ｑとを同時に展示して同時に目視することが可能になる。【選択図】図１
0003155329.tif 000002
【実用新案登録請求の範囲】
【請求項１】
一対の透明フレーム板と、一対の透明筒体と、一対の蓋部材とを備え、一方の蓋部材の両端部に設けられた蓋部に前記一対の透明筒体の一方の開口をそれぞれ嵌合し、前記一対の透明フレーム板の間に平面体を挟んでなる重合体の一方の端縁部を前記一方の蓋部材の連結部に穿設された配置溝に遊嵌し、他方の蓋部材の両端部に設けられた蓋部を前記一対の透明筒体の他方の開口にそれぞれ嵌合すると同時に、前記他方の蓋部材の連結部に穿設された配置溝を前記重合体の他方の端縁部に遊嵌することにより、前記一対の透明フレーム板，前記一対の透明筒体および前記一対の蓋部材を一体化できるようにしたことを特徴とするカプセルスタンド。
【請求項２】
前記一対の透明筒体の一方の開口と前記一対の透明筒体の他方の開口とのサイズが異なっており、前記一方の蓋部材の蓋部と前記他方の蓋部材の蓋部とのサイズが異なることを特徴とする請求項１記載のカプセルスタンド。
【請求項３】
前記一対の透明フレーム板の少なくとも両側端面が斜めに面取りされており、前記一対の透明フレーム板を少ない面積の平面で重ね合わせた重合体の両側端面に形成される断面Ｖ字状の谷溝が前記一対の透明筒体の周側面の膨出部に遊嵌して、前記重合体をスライド案内するとともに位置規制することを特徴とする請求項１または２記載のカプセルスタンド。
【考案の詳細な説明】
【技術分野】
【０００１】
本考案はカプセルスタンドに関し、特に写真，カレンダー，料金表等の平面体を記念品，思出品，装飾品等の立体物とともに飾ることができるカプセルスタンドに関する。
【背景技術】
【０００２】
特許文献１には、記念品，思出品，装飾品等の被展示物を写真とともに飾る展示ケースが開示されている。この展示ケースは、上方に被展示物を収納可能な空間を有し透明な壁部を有する展示室部と、下方に小物類を入れる小物入れ部とを設けたケースからなる展示ケースにおいて、ケースの側面部に写真立て部を設けたものである。具体的には、野球のボールと、野球のユニホーム姿の写真とを同時に展示するようにしている。
【先行技術文献】
【特許文献】
【０００３】
【特許文献１】特開２００５−０５２３３１号公報
【考案の概要】
【考案が解決しようとする課題】
【０００４】
しかし、上述した従来の展示ケースは、ケースの側面部に写真立て部が設けられていたので、被展示物と写真とを同時に目視することができないという問題点があった。このため、被展示物を写真と同時に飾ることにあまり意味がなかった。
【０００５】
本考案の目的は、上述の点に鑑み、平面体と立体物とを同時に展示して同時に目視することができるようにしたカプセルスタンドを提供することにある。
【課題を解決するための手段】
【０００６】
請求項１記載のカプセルスタンドは、一対の透明フレーム板と、一対の透明筒体と、一対の蓋部材とを備え、一方の蓋部材の両端部に設けられた蓋部に前記一対の透明筒体の一方の開口をそれぞれ嵌合し、前記一対の透明フレーム板の間に平面体を挟んでなる重合体の一方の端縁部を前記一方の蓋部材の連結部に穿設された配置溝に遊嵌し、他方の蓋部材の両端部に設けられた蓋部を前記一対の透明筒体の他方の開口にそれぞれ嵌合すると同時に、前記他方の蓋部材の連結部に穿設された配置溝を前記重合体の他方の端縁部に遊嵌することにより、前記一対の透明フレーム板，前記一対の透明筒体および前記一対の蓋部材を一体化できるようにしたことを特徴とする。
【０００７】
請求項２記載のカプセルスタンドは、請求項１記載のカプセルスタンドにおいて、前記一対の透明筒体の一方の開口と前記一対の透明筒体の他方の開口とのサイズが異なっており、前記一方の蓋部材の蓋部と前記他方の蓋部材の蓋部とのサイズが異なることを特徴とする。
【０００８】
請求項３記載のカプセルスタンドは、請求項１または２記載のカプセルスタンドにおいて、前記一対の透明フレーム板の少なくとも両側端面が斜めに面取りされており、前記一対の透明フレーム板を少ない面積の平面で重ね合わせた重合体の両側端面に形成される断面Ｖ字状の谷溝が前記一対の透明筒体の周側面の膨出部に遊嵌して、前記重合体をスライド案内するとともに位置規制することを特徴とする。
【考案の効果】
【０００９】
本考案のカプセルスタンドは、一方の蓋部材の両端部に設けられた蓋部に一対の透明筒体の一方の開口をそれぞれ嵌合し、一対の透明フレーム板の間に平面体を挟んでなる重合体の一方の端縁部を一方の蓋部材の連結部に穿設された配置溝に遊嵌し、他方の蓋部材の両端部に設けられた蓋部を一対の透明筒体の他方の開口にそれぞれ嵌合すると同時に、他方の蓋部材の連結部に穿設された配置溝を重合体の他方の端縁部に遊嵌することにより、一対の透明フレーム板，一対の透明筒体および一対の蓋部材を一体化できるようにした。これにより、平面体と立体物とを同時に展示して同時に目視することを可能にする。
【図面の簡単な説明】
【００１０】
【図１】本考案の実施例に係るカプセルスタンドの正面側斜視図。
【図２】本実施例に係るカプセルスタンドの組立手順を説明する斜視図。
【図３】本実施例に係るカプセルスタンドの組立手順を説明する斜視図。
【図４】本実施例に係るカプセルスタンドの組立手順を説明する斜視図。
【図５】本実施例に係るカプセルスタンドの組立手順を説明する斜視図。
【考案を実施するための形態】
【００１１】
平面体と立体物とを同時に展示して同時に目視できるカプセルスタンドを提供するという目的を、一方の蓋部材の両端部に設けられた蓋部に一対の透明筒体の一方の開口をそれぞれ嵌合し、一対の透明フレーム板の間に平面体を挟んでなる重合体の一方の端縁部を一方の蓋部材の連結部に穿設された配置溝に遊嵌し、他方の蓋部材の両端部に設けられた蓋部に一対の透明筒体の他方の開口をそれぞれ嵌合すると同時に、他方の蓋部材の連結部に穿設された配置溝を重合体の他方の端縁部に遊嵌することにより実現した。
【実施例】
【００１２】
図１は、本考案の実施例に係るカプセルスタンドの正面側斜視図である。本実施例に係るカプセルスタンドは、前面側透明フレーム板１１および後面側透明フレーム板１２（図２参照）と、左側透明筒体２１および右側透明筒体２２と、下側蓋部材３１および上側蓋部材３２とから、その主要部が構成されている。本実施例に係るカプセルスタンドは、写真等の平面体Ｐを挟み込んだ前面側透明フレーム板１１および後面側透明フレーム板１２と、記念品等の立体物Ｑを収納した左側透明筒体２１および右側透明筒体２２とを、下側蓋部材３１および上側蓋部材３２で一体化することにより組み立てられる。
【００１３】
前面側透明フレーム板１１は、図２に示すように、透明合成樹脂（例えば、透明アクリル樹脂）で長方形平板状に形成されている。前面側透明フレーム板１１は、例えば、縦１３２ｍｍ程度、横９７ｍｍ程度、厚さ２ｍｍ程度に設定されている。なお、前面側透明フレーム板１１の少なくとも左右側端面は、斜面となるように面取りされている。
【００１４】
後面側透明フレーム板１２は、図２に示すように、透明合成樹脂（例えば、透明アクリル樹脂）で長方形平板状に形成されており、内面（前面）側にＬサイズの写真が挟み込める大きさの段差面が形成されている。逆に言えば、後面側透明フレーム板１２は、内面側の周縁に突出縁が突設されている。後面側透明フレーム板１２は、前面側透明フレーム板１１とほぼ同じ外形サイズであるが、前面側透明フレーム板１１に比べて内面側に突設された周縁に高さ分だけ厚みが厚くなっている。例えば、後面側透明フレーム板１２は、縦１３２ｍｍ程度、横９７ｍｍ程度、厚さ２．５ｍｍ程度に設定されている。したがって、前面側透明フレーム板１１と後面側透明フレーム板１２との間には、写真２枚程度の厚みの平面体Ｐまで挟み込めるようになっている。なお、後面側透明フレーム板１２の少なくとも左右側端面も、前面側透明フレーム板１１の少なくとも左右側端面と同様に、斜面となるように面取りされていて、段差面が形成されている面が面積の少ない平面となっている。
【００１５】
この結果、前面側透明フレーム板１１と後面側透明フレーム板１２とを少ない面積の平面で前後に重ね合わせた重合体では、図３（ｂ）に示すように、少なくとも左右側端面は、それぞれ断面Ｖ字状の谷溝を成すようになっている。重合体の左右側端面に現れる谷溝は、左側透明筒体２１および右側透明筒体２２の周側面の膨出部に遊嵌して、重合体をスライド案内するとともに前後方向に位置規制する役目をする。２枚の写真を背中合わせに挟み込んだ重合体は、裏返し可能および上下反転可能となっている。
【００１６】
左側透明筒体２１および右側透明筒体２２は、図３ないし図５に示すように、透明合成樹脂（例えば、透明アクリル樹脂）で円筒体状に形成されており、下端開口縁および上端開口縁の同じ角度位置には、台形状の切欠２１ａ，２１ｂおよび２２ａ，２２ｂがそれぞれ設けられている。切欠２１ａおよび切欠２２ａは、図３（ｂ）に示すように、後述する下側蓋部材３１の連結部３１ａを跨いで左側透明筒体２１および右側透明筒体２２の下端開口が下側蓋部材３１の蓋部３１ｂ，３１ｃに嵌合するために設けられている。同じく、切欠２１ｂおよび切欠２２ｂは、後述する上側蓋部材３２の連結部３２ａを跨いで左側透明筒体２１および右側透明筒体２２の上端開口が上側蓋部材３２の蓋部３２ｂ，３２ｃに嵌合するために設けられている。左側透明筒体２１および右側透明筒体２２は、同一形状および同一サイズであり、例えば、外径が３４ｍｍ程度、内径が３０ｍｍ程度、厚みが２ｍｍ程度、高さが１００ｍｍ程度に設定されている。このため、左側透明筒体２１と右側透明筒体２２とは、相互に入れ替え可能である。
【００１７】
左側透明筒体２１および右側透明筒体２２は、上から下に向けて極めて僅かずつであるが太くなるように成形された円筒体でなる。すなわち、左側透明筒体２１および右側透明筒体２２は、下端開口の内径が上端開口の内径より若干大きくなっていて、下端開口には下側蓋部材３１の蓋部３１ｂ，３１ｃがそれぞれ嵌合し、上端開口には上側蓋部材３２の蓋部３２ｂ，３２ｃがそれぞれ嵌合するになっている。このように、左側透明筒体２１および右側透明筒体２２を上から下に向けて極めて僅かずつであるが太くなるように成形したのは、成形金型を抜き出しやすいようにするためである。これにより、左側透明筒体２１および右側透明筒体２２の下端開口に上側蓋部材３２のフランジ部３２ｂ１，３２ｃ１を嵌合しようとしても緩くて嵌着することができず、左側透明筒体２１および右側透明筒体２２の上端開口に下側蓋部材３１のフランジ部３１ｂ１，３２ｃ１を嵌合しようとしても嵌め合わせることができない。
【００１８】
下側蓋部材３１は、図３に示すように、樋状の連結部３１ａと、連結部３１ａの両端部に形成された蓋部３１ｂ，３１ｃとが、透明合成樹脂（例えば、透明アクリル樹脂）で一体成形されて構成されている。連結部３１ａの上面部には、少なくとも前面側透明フレーム板１１および後面側透明フレーム板１２の横幅よりも長い長さの配置溝３１ａ１が穿設されている。蓋部３１ｂ，３１ｃの上面には、左側透明筒体２１および右側透明筒体２２の下端開口と嵌合する輪状突縁でなるフランジ部３１ｂ１，３１ｃ１が突設されている。下側蓋部材３１は、例えば、連結部３１ａが１３４ｍｍ程度、蓋部３１ｂ，３１ｃの外径が３４ｍｍ程度、厚みが４ｍｍ程度、フランジ部３１ｂ１，３１ｃ１の外径が３０ｍｍ程度、内径が２６ｍｍ程度、高さが４ｍｍ程度に設定されている。配置溝３１ａ１は、例えば、深さが３ｍｍ程度、幅が８ｍｍ程度、長さが１３３ｍｍ程度に設定されている。なお、特には図示しなかったが、蓋部３１ｂ，３１ｃの下面は、同面を底面としてカプセルスタンドを配置したときの安定性のために、中央部が周縁部に比べて一段と窪んで形成されている。
【００１９】
左側透明筒体２１と、左側透明筒体２１の下端開口に嵌合される下側蓋部材３１の蓋部３１ｂと、左側透明筒体２１の上端開口に嵌合される上側蓋部材３２の蓋部３２ｂとから、立体物Ｑを収納するための左側カプセルが形成される。
【００２０】
上側蓋部材３２は、図５に示すように、樋状の連結部３２ａと、連結部３２ａの両端部に形成された蓋部３２ｂ，３２ｃとが、透明合成樹脂（例えば、透明アクリル樹脂）で一体成形されて構成されている。連結部３２ａの下面部には、少なくとも前面側透明フレーム板１１および後面側透明フレーム板１２の横幅よりも長い長さの配置溝３２ａ１（図示せず）が穿設されている。蓋部３２ｂ，３２ｃの下面には、左側透明筒体２１および右側透明筒体２２の上端開口と嵌合する輪状突縁でなるフランジ部３２ｂ１，３２ｃ１が突設されている。上側蓋部材３２は、例えば、連結部３２ａが１３４ｍｍ程度、蓋部３２ｂ，３２ｃの外径が３４ｍｍ程度、厚みが４ｍｍ程度、フランジ部３２ｂ１，３２ｃ１の外径が３０ｍｍ程度、内径が２６ｍｍ程度、高さが４ｍｍ程度に設定されている。配置溝３２ａ１（図示せず）は、例えば、深さが３ｍｍ程度、幅が８ｍｍ程度、長さが１３３ｍｍ程度に設定されている。
【００２１】
右側透明筒体２２と、右側透明筒体２２の下端開口に嵌合される下側蓋部材３１の蓋部３１ｃと、右側透明筒体２２の上端開口に嵌合される上側蓋部材３２の蓋部３２ｃとから、立体物Ｑを収納するための右側カプセルが形成される。
【００２２】
次に、このように構成された本実施例に係るカプセルスタンドの組み立て手順について、図１ないし図５を参照しながら説明する。
【００２３】
まず、図２に示すように、展示しようとする平面体Ｐを、前面側透明フレーム板１１と後面側透明フレーム板１２との間に挟み込む。このとき、前面側透明フレーム板１１の側端面が面取りされて小さい面積となる平面を後面とし、後面側透明フレーム板１２の段差面が形成されている面を前面として重ね合わせるようにする。なお、図２では、平面体Ｐとして犬の写真を挟み込んだ例が図示されているが、前面側透明フレーム板１１と後面側透明フレーム板１２との間には、写真であれば２枚程度まで挟み込むことができる。２枚の写真を背中合わせに挟み込めば、前後から２枚の写真のいずれかを見ることができる。前面側透明フレーム板１１と後面側透明フレーム板１２とを重ね合わせた重合体では、重合体の少なくとも左右両側端面は、上下側から見てそれぞれ断面Ｖ字形の谷溝を成すことになる。
【００２４】
次に、図３（ａ）に示すように、下側蓋部材３１の蓋部３１ｂ，３１ｃに一対の左側透明筒体２１および右側透明筒体２２の下端開口をそれぞれ嵌合させて、左側透明筒体２１および右側透明筒体２２の下端開口を密閉する。このとき、切欠２１ａおよび切欠２２ａは、図３（ｂ）に示すように、下側蓋部材３１の連結部３１ａを跨いで左側透明筒体２１および右側透明筒体２２の下端開口が下側蓋部材３１の蓋部３１ｂ，３１ｃに嵌合するようになる。なお、すべりが悪いときには、左側透明筒体２１および右側透明筒体２２の下端開口および／または蓋部３１ｂ，３１ｃのフランジ部３２ｂ１，３２ｃ１にクリーム等を薄く塗ると、容易に左側透明筒体２１および右側透明筒体２２の下端開口を下側蓋部材３１の蓋部３１ｂ，３１ｃに嵌合させることができる。また、この段階で、左側透明筒体２１および右側透明筒体２２の下端開口を蓋部３１ｂ，３１ｃの蓋部３２ｂ，３２ｃにそれぞれ嵌合させて左側透明筒体２１および右側透明筒体２２の下端開口を密閉するのではなく、あらかじめ販売前の段階で左側透明筒体２１および右側透明筒体２２の下端開口に接着剤等を用いて下側蓋部材３１の蓋部３１ｂ，３１ｃを固着しておいてもよい。
【００２５】
続いて、前面側透明フレーム板１１および後面側透明フレーム板１２が平面体Ｐを挟んで重ね合わせられた重合体を、Ｖ字形の谷溝を左側透明筒体２１および右側透明筒体２２の外周面の膨出部に遊嵌させながら上下方向にスライド案内させて、その下端縁部を下側蓋部材３１の配置溝３１ａ１に上から差し込んで遊嵌させる。遊嵌した位置では、重合体の下端面は、配置溝３１ａ１の底面に当接することになる。
【００２６】
次に、図４に示すように、左側透明筒体２１および右側透明筒体２２の中に上端開口から立体物Ｑを入れたり、好きなデコレーションを施したりする。なお、図４では、立体物Ｑとして砂や貝殻等を入れた例が図示されている。
【００２７】
最後に、図５に示すように、左側透明筒体２１および右側透明筒体２２の上端開口に対して上側蓋部材３２の蓋部３２ｂ，３２ｃをそれぞれ嵌合させて、左側透明筒体２１および右側透明筒体２２の上端開口を密閉する。なお、すべりが悪いときには、左側透明筒体２１および右側透明筒体２２の上端開口および／または蓋部３２ｂ，３２ｃのフランジ部３２ｂ１，３２ｃ１にクリーム等を薄く塗ると、容易に左側透明筒体２１および右側透明筒体２２の上端開口に上側蓋部材３２の蓋部３２ｂ，３２ｃをそれぞれ嵌合させることができる。
【００２８】
これと同時に、上側蓋部材３２の配置溝３２ａ１（図示せず）が前面側透明フレーム板１１および後面側透明フレーム板１２を平面体Ｐを挟んで重ね合わせた重合体の上端縁部に上から差し込まれて遊嵌される。このとき、遊嵌した位置では、上側蓋部材３２の配置溝３２ａ１（図示せず）の天井面は、前面側透明フレーム板１１および／または後面側透明フレーム板１２の上端面に当接している必要は必ずしもない。
【００２９】
以上により、本実施例に係るカプセルスタンドが完成する。完成されたカプセルスタンドは、図１に示すように、下側蓋部材３１の下面を底面として棚，机等の平面に立てた状態で置くことができる。この置いた状態で、カプセルスタンドは、前面側透明フレーム板１１および後面側透明フレーム板１２において平面体Ｐを展示すると同時に、左側透明筒体２１および右側透明筒体２２において立体物Ｑを展示することができる。
【００３０】
ところで、上記手順の説明では、平面体Ｐを、例えば犬の写真とした例について説明したが、平面体Ｐはカレンダー，メニュー，広告，チラシ等の任意なものとすることができる。また、立体物Ｑを、例えば砂と貝殻とした例について説明したが、立体物Ｑは、図４中に示すように、第二ボタンのような記念品，落ち葉のような思出品，リボンのような装飾品等の任意なものとすることができる。例えば、平面体Ｐをメニュー、立体物Ｑをコーヒー豆とすることにより、レストランや喫茶店等の飲食店でのコーヒーの注文を顧客に暗に促す効果が得られる。
【００３１】
以上説明したように、本実施例によれば、下側蓋部材３１の両端部に設けられた蓋部３１ｂ，３１ｃに左側透明筒体２１および右側透明筒体２２の下端開口をそれぞれ嵌合し、前面側透明フレーム板１１と後面側透明フレーム板１２との間に平面体Ｐを挟んでなる重合体の下端縁部を下側蓋部材３１の連結部３１ａに穿設された配置溝３１ａ１に遊嵌し、左側透明筒体２１および右側透明筒体２２の上端開口に上側蓋部材３２の両端部に設けられた蓋部３２ｂ，３２ｃをそれぞれ嵌合すると同時に、上側蓋部材３２の連結部３２ａに穿設された配置溝３２ａ１（図示せず）を重合体の上端縁部に遊嵌することにより、前面側透明フレーム板１１および後面側透明フレーム板１２，左側透明筒体２１および右側透明筒体２２，ならびに下側蓋部材３１および上側蓋部材３２を一体化できるようにした。これにより、前面側透明フレーム板１１および後面側透明フレーム板１２を透過して平面体Ｐを展示すると同時に、左側透明筒体２１および右側透明筒体２２を透過して立体物Ｑを展示することができ、平面体Ｐと立体物Ｑとを同時に展示して同時に目視することが可能になる。この組み立てた状態で、下側蓋部材３１の底面を棚，机等の平面に置くことにより立てた状態で使用することができる。なお、上側蓋部材３２の上面を底面として上下転置した状態で使用することもできる。
【００３２】
以上、本考案の実施例を説明したが、これはあくまでも例示にすぎず、本考案はこれに限定されるものではなく、実用新案登録請求の範囲の趣旨を逸脱しない限りにおいて、当業者の知識に基づく種々の変更が可能である。
【００３３】
例えば、本実施例では、前面側透明フレーム板１１および後面側透明フレーム板１２を前後に重ね合わせた重合体の少なくとも左右側端面の形状は、断面Ｖ字形の谷溝であると説明したが、重合体の少なくとも左右側端面の断面形状は必ずしも断面Ｖ字形である必要はなく、左側透明筒体２１および右側透明筒体２２の外周面の膨出部を逃げるような断面凹形状であればどのような断面形状であってもよい。
【００３４】
また、本実施例では、左側透明筒体２１および右側透明筒体２２を同一のサイズとしたが、両者の高さや太さを異ならせることもできる。また、左側透明筒体２１および右側透明筒体２２を円筒形状としたが、三角筒形状，四角筒形状等の他の形状とすることもできる。
【００３５】
さらに、本実施例では、前面側透明フレーム板１１および後面側透明フレーム板１２，左側透明筒体２１および右側透明筒体２２，ならびに下側蓋部材３１および上側蓋部材３２をそれぞれ透明であると説明したが、これらは透明であれば全部または一部を着色するようにしてもよい。一部を着色することにより、全部が無色透明である場合に比べて、装飾性を高めることができる。また、下側蓋部材３１と上側蓋部材３２とを異なる着色とすることにより、両者を目視で区別することができるようになる。
【産業上の利用可能性】
【００３６】
平面体と立体物とを同時に展示して同時に目視することができるカプセルスタンドとしたので、通常の写真スタンドとしてばかりでなく、カレンダー表示具，メニュー表示具，広告宣伝用表示具，贈答用文具，アメニティーグッズ等としても広く普及することが可能である。
【符号の説明】
【００３７】
１１  前面側透明フレーム板
１２  後面側透明フレーム板
２１  左側透明筒体
２１ａ，２１ｂ  切欠
２２  右側透明筒体
２２ａ，２２ｂ  切欠
３１  下側蓋部材
３１ａ  連結部
３１ａ１  配置溝
３１ｂ，３１ｃ  蓋部
３１ｂ１，３１ｃ１  フランジ部
３２  上側蓋部材
３２ａ  連結部
３２ａ１  配置溝
３２ｂ，３２ｃ  蓋部
３２ｂ１，３２ｃ１  フランジ部
Ｐ  平面体
Ｑ  立体物
【図１】
0003155329.tif 000003
【図２】
0003155329.tif 000004
【図３】
0003155329.tif 000005
【図４】
0003155329.tif 000006
【図５】
0003155329.tif 000007